(57)【要約】【課題】装置設定画面が多くなると、所望の装置設定画面に辿り着くまでの操作が煩雑になる。【解決手段】情報処理装置１は、階層構造をなす複数の画像データを格納するメモリ１５と、キーワード及び階層情報の入力を受け付ける検索入力部１１と、メモリ１５から、キーワードを含む画像データを検索する検索処理部１４と、この検索処理部１４による検索結果を出力するタッチパネル画面作成部１３及びタッチパネルと、を備えている。タッチパネル画面作成部１３は、前記階層情報に基づいて前記検索結果を整列（ソート）する。更に、タッチパネル画面作成部１３は、前記階層情報で示される階層の前記画像データを優先して出力する。これにより、所望の装置設定画面に辿り着くまでの操作が簡単になって、利便性が向上する。【選択図】図１
2015064762.tif 000002
【特許請求の範囲】
【請求項１】
階層構造をなす複数のデータを格納する格納部と、
キーワードの入力を受け付ける受付部と、
前記格納部から、前記キーワードを含む前記データを検索する検索部と、
前記検索部による検索結果を出力する出力部と、
を備え、
前記受付部は、更に階層情報の入力を受け付け、
前記出力部は、前記階層情報に基づいて前記検索結果を整列することを特徴とする情報処理装置。
【請求項２】
前記出力部は、前記階層情報で示される階層の前記データを優先して出力することを特徴とする請求項１記載の情報処理装置。
【請求項３】
階層構造をなす複数のデータを格納する格納部と、
階層情報とキ−ワードとの入力を受け付ける受付部と、
前記格納部から、前記階層情報で示される階層の前記データであり、且つ、前記キーワ−ドを含む前記データを検索する検索部と、
前記検索部による検索結果を出力する出力部と、
を備えることを特徴とする情報処理装置。
【請求項４】
前記格納部は、
前記階層構造をなす前記複数のデータと前記階層情報及び前記キーワードの情報との関係を示す管理テーブルを有し、
前記階層構造をなす前記データは、
複数のノード間がエッジで結ばれた木構造を構成する前記複数のノードにそれぞれ配置された画像データであり、
前記検索部は、
前記管理テーブルを参照し、前記キーワードを含む前記ノードを、前記木構造の深さ方向に走査して、前記キーワードを含む前記画像データを検索することを特徴とする請求項１又は２記載の情報処理装置。
【請求項５】
前記格納部は、
前記階層構造をなす前記複数のデータと前記階層情報及び前記キーワードの情報との関係を示す管理テーブルを有し、
前記階層構造をなす前記データは、
複数のノード間がエッジで結ばれた木構造を構成する前記複数のノードにそれぞれ配置された画像データであり、
前記検索部は、
前記管理テーブルを参照し、前記階層に属する前記ノードを走査して、前記キーワードを含む前記画像データを検索することを特徴とする請求項３記載の情報処理装置。
【請求項６】
前記出力部は、
前記検索結果における前記画像データの画面を作成する画面作成部と、
前記画面を表示する表示部と、
を有することを特徴とする請求項４又は５記載の情報処理装置。
【請求項７】
前記表示部は、入力機能及び表示機能を有する操作パネル部であり、
前記操作パネル部は、前記格納部、前記受付部、前記検索部、及び前記画像作成部を有することを特徴とする請求項６記載の情報処理装置。
【請求項８】
前記画面は、機能設定画面であることを特徴とする請求項６又は７記載の情報処理装置。
【発明の詳細な説明】
【技術分野】
【０００１】
本発明は、階層構造をなす複数のデータ（例えば、画像データ等）を処理する情報処理装置に関するものである。
【背景技術】
【０００２】
従来、例えば、特許文献１に記載された情報処理装置の１つであるプリンタ制御装置では、プリンタ表示部の印刷設定画面を表示するために、その装置に定められた手順に従ってユーザが画面遷移する必要がある。
【先行技術文献】
【特許文献】
【０００３】
【特許文献１】特開２００６−２３６１７０号公報
【発明の概要】
【発明が解決しようとする課題】
【０００４】
しかしながら、従来の情報処理装置では、印刷機能の増加によって印刷設定画面が多くなると、所望の印刷設定画面に辿り着くまでの操作が煩雑になるという課題があった。
【課題を解決するための手段】
【０００５】
本発明の情報処理装置は、階層構造をなす複数のデータ（例えば、画像データ）を格納する格納部と、キーワードの入力を受け付ける受付部と、前記格納部から、前記キーワードを含む前記データを検索する検索部と、前記検索部による検索結果を出力する出力部と、を備え、前記受付部は、更に階層情報の入力を受け付け、前記出力部は、前記階層情報に基づいて前記検索結果を整列（ソート）することを特徴とする。
【０００６】
例えば、前記出力部は、前記階層情報で示される階層の前記データを優先して出力するようになっている。
【０００７】
本発明の他の情報処理装置は、階層構造をなす複数のデータ（例えば、画像データ）を格納する格納部と、階層情報とキ−ワードとの入力を受け付ける受付部と、前記格納部から、前記階層情報で示される階層の前記データであり、且つ、前記キーワ−ドを含む前記データを検索する検索部と、前記検索部による検索結果を出力する出力部と、を備えることを特徴とする。
【発明の効果】
【０００８】
本発明の情報処理装置によれば、この情報処理装置に定められた手順に従って装置設定操作を行わなくても、キーワードや階層情報を入力することで、装置設定操作が簡単になって、利便性が向上する。
【図面の簡単な説明】
【０００９】
【図１】図１は図２の情報処理装置１における操作タッチパネル及びＭＦＰ制御部を示す概略の構成図である。
【図２】図２は本発明の実施例１における情報処理装置の概略を示す構成図である。
【図３】図３は図２中の操作タッチパネルを示す概略の外観図である。
【図４】図４は図１中のメモリに格納された画面パス管理テーブルを示す図である。
【図５】図５は図４の各画面に対応する各画像データの階層構造を示す図である。
【図６Ａ】図６Ａは図３中のタッチパネルに表示される機能設定画面の例を示す外観図である。
【図６Ｂ】図６Ｂは図３中のタッチパネルに表示される機能設定画面の例を示す外観図である。
【図６Ｃ】図６Ｃは図３中のタッチパネルに表示される機能設定画面の例を示す外観図である。
【図６Ｄ】図６Ｄは図３中のタッチパネルに表示される機能設定画面の例を示す外観図である。
【図６Ｅ】図６Ｅは図３中のタッチパネルに表示される機能設定画面の例を示す外観図である。
【図７】図７は操作タッチパネルで機能設定画面を検索する画面検索処理を示すフローチャートである。
【図８】図８は画面検索結果表示の変更処理を示すフローチャートである。
【図９Ａ】図９Ａは図３中のタッチパネルに表示される実施例２の機能設定画面の例を示す外観図である。
【図９Ｂ】図９Ｂは図３中のタッチパネルに表示される実施例２の機能設定画面の例を示す外観図である。
【図９Ｃ】図９Ｃは図３中のタッチパネルに表示される実施例２の機能設定画面の例を示す外観図である。
【図１０】図１０は実施例２の操作タッチパネルで機能設定画面を検索する画面検索処理を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１における情報処理装置の概略を示す構成図である。
【００１２】
この情報処理装置１は、例えば、複写機であるコピー機、プリンタ、スキャナ、及びファクシミリ装置（以下「ＦＡＸ」という。）等の機能が１つにまとめられた複合機（MultiFunction  Printer/Product/Peripheral、以下「ＭＦＰ」という。）であり、データバス、アドレスバス及び制御バスからなるシステムバス２を有している。システムバス２には、コピー機能部３、プリンタ機能部４、スキャナ機能部５、ＦＡＸ機能部６、自動原稿送り装置（Auto  Document  Feeder、ＡＤＦ）７、表示部としての操作パネル部（例えば、操作タッチパネル）１０、及びＭＦＰ制御部３０が接続されている。
【００１３】
操作タッチパネル１０は、入力機能及び表示機能を有し、機器設定等の各設定や機能を実行する時に使用するものである。ＭＦＰ制御部３０は、情報処理装置１の各処理をプログラム制御するためのものであり、中央処理装置（以下「ＣＰＵ」という。）を有するマイクロコンピュータ等で構成されている。
【００１４】
図１は、図２の情報処理装置１における操作タッチパネル１０及びＭＦＰ制御部３０を示す概略の構成図である。
【００１５】
操作タッチパネル１０は、表示画面を検索する際の画像データ検索用キーワード、及び階層情報等を受け付ける（即ち、入力する）ための受付部としての検索入力部１１を有している。検索入力部１１には、制御部としてのタッチパネル制御部１２が接続されている。タッチパネル制御部１２は、操作タッチパネル１０の各処理をプログラム制御するためのものである。このタッチパネル制御部１２には、画面作成部としてのタッチパネル画面作成部１３が接続されると共に、検索部としての検索処理部１４を介して、格納部としてのメモリ１５が接続されている。
【００１６】
タッチパネル画面作成部１３は、階層情報に基づいて検索処理部１４の検索結果をソートする機能（例えば、その検索結果を並び替える機能）と、操作タッチパネル１０に表示するための画面を作成する機能と、を有している。検索処理部１４は、ユーザにより入力された画像データ検索用キーワード（あるいは画像データ検索用キーワード及び階層情報）を基に、機能設定画面の検索処理を実行するものである。これらのタッチパネル制御部１２、タッチパネル画面作成部１３、及び検索処理部１４は、ＣＰＵ等により構成されている。メモリ１５は、管理テーブルとしての画面パス管理テーブル１５ａ等を格納するものであり、例えば、フラッシュメモリ等の不揮発性メモリにより構成されている。
【００１７】
図３は、図２中の操作タッチパネル１０を示す概略の外観図である。
操作タッチパネル１０の中央全体には、入力機能及び表示機能を有する矩形のタッチパネル２０が設けられている。このタッチパネル２０と、図１中のタッチパネル画面作成部１３とにより、検索処理部１４の検索結果を出力するための出力部が構成されている。タッチパネル２０の近傍の左上側には、押下によりホーム画面に遷移するホームボタン２１が設けられている。タッチパネル２０の近傍の右上側には、情報処理装置１のステータス（状態）を表現する表示素子（例えば、ステータスＬＥＤ）２２と、押下により検索キーワード入力画面に遷移するサーチ（Search）ボタン２３と、が設けられている。
【００１８】
タッチパネル２０の近傍の左側には、押下によりコピー（Copy）等の各機能の待機画面に遷移する複数の機能ボタン２４が設けられている。複数の機能ボタン２４には、コピー（Copy）ボタン２４ａ、スキャン（Scan）ボタン２４ｂ、プリント（Print）ボタン２４ｃ、及び、ＦＡＸボタン２４ｄが有る。更に、タッチパネル２０の近傍の右側には、押下により節電モードに移行する節電（Power  Save）ボタン２５と、テンキー２６と、クリア（Clear）キー２７と、コピーやスキャン等の各機能を実行する際に使用するスタート（Start）ボタン２８と、スタートさせたジョブをキャンセルするキャンセル（Stop）ボタン２９と、が設けられている。
【００１９】
図４は、図１中のメモリ１５に格納された画面パス管理テーブル１５ａを示す図である。
この画面パス管理テーブル１５ａは、階層構造をなす複数のデータ（例えば、画面＃１〜＃２５，・・・の各画像データ）と、それらの画面が表示されるまでの木構造の遷移順序を表す画面パスの階層構造をなす階層情報（例えば、第１階層（Level  1）〜第４階層（Level  4）と、各画像データ検索用キーワードの情報（例えば、「copy」、「print」、「setting」、「copies」、「tray1」、「tray2」、「paper  setup」、「tray1」、「paper  size」、・・・）と、の関係を示すものである。
【００２０】
ここで、画面＃１の画像データにおいて、第１階層（Level  １）のキーワード「copy」は、複写を意味し、第２階層（Level  2）のキーワード「copies」は、コピー枚数を意味する。画面＃２の画像データにおいて、第１階層（Level  1）のキーワード「copy」は、複写を意味し、第２階層（Level  2）のキーワード「tray1」は、用紙供給トレイ１を意味する。画面＃３の画像データにおいて、第１階層（Level  1）のキーワード「print」は、印刷を意味し、第２階層（Level  2）のキーワード「tray2」は、用紙供給トレイ２を意味する。
【００２１】
画面＃２４の画像データにおいて、第１階層（Level  1）のキーワード「setting」は、ある値の設定を意味し、第２階層（Level  2）のキーワード「paper  setup」は、用紙供給を意味し、第３階層（Level  3）のキーワード「tray1」は、用紙供給トレイ１を意味する。又、画面＃２５の画像データにおいて、第１階層（Level  1）のキーワード「setting」は、ある値の設定を意味し、第２階層（Level  2）のキーワード「paper  setup」は、用紙供給を意味し、第３層（Level  3）のキーワード「tray1」は、用紙供給トレイ１を意味し、第４階層（Level  4）のキーワード「paper  size」は、用紙サイズを意味する。
【００２２】
図５は、図４の各画面＃１〜＃２５，・・・に対応する各画像データの階層構造を示す図である。
【００２３】
図４の各画面＃１〜＃２５，・・・に対応する各画像データは、第１階層（Level  1）から第４階層（Level  4）の階層構造をしている。この階層構造は、木構造をしており、この頂点に位置する根ノード（root  node）４０と、この根ノード４０にエッジ（枝、辺）４１で結ばれ、第１階層（Level  1）から第３階層（Level  3）に位置する複数の内部ノード（inner  node）４２−１，４２−２，４２−３と、木構造の最底辺の第４階層（Level  4）に位置する葉ノード（leaf  node）４３と、により構成されている。
【００２４】
根ノード４０には、ホーム画面（例えば、コピー待機画面）の画像データが配置されている。各階層の内部ノード４２−１，４２−２，４２−３及び葉ノード４３には、各画面＃１〜＃２５，・・・の画像データと、キーワード（Copy,  Print,  setting,  ・・・）の情報と、が配置されている。第１階層（Level  1）から第４階層（Level  4）への垂直方向が、木構造の深さ方向Ｄである。
【００２５】
（実施例１の動作）
図６Ａ〜図６Ｅは、図３中のタッチパネル２０に表示される機能設定画面の例を示す外観図である。
【００２６】
図６Ａの画面は、起動時や待機時に表示されるホーム画面５１である。ホーム画面５１は、設定により変更できる。図６Ａでは、ホーム画面５１として、例えばコピー待機（Copy  Start  Ready）画面が表示されている。このホーム画面５１では、プレビュー（Preview、印刷結果確認画面）タブ、各種設定（setting）タブ、カラー／モノクロ選択（Color/Mono）ボタン、用紙供給トレイ（Tray）ボタン、両面印刷（Duplex）ボタン、定型変倍（N-in-1）ボタン、複写倍率（Zoom）ボタン、及び、原図方向（Original  Direction）ボタンが表示されている。
【００２７】
図６Ｂの画面は、検索キーワード入力（Enter  Search  Keyword）画面５２である。検索キーワード入力画面５２は、図３中のサーチボタン２３を押下することにより表示される。この検索キーワード入力画面５２には、検索キーワード入力欄５２ａと、ソフトキーボード５２ｂと、が表示されている。
【００２８】
図６Ｃの画面は、検索結果画面５３である。図６Ｂの検索キーワード入力画面５２で、ユーザが、検索キーワード入力欄５２ａにキーワード（例えば、「tray」）を入力すると表示される。この検索結果画面５３では、第１階層（Level  1）から第４階層（Level  4）のボタンと、キャンセル（Cancel）ボタンと、検索結果の画面＃２の遷移順序（Copy-Tray1）、画面＃３の遷移順序（Print-Tray2）、画面＃２４の遷移順序（setting-Paper  Setup-Tray1）、及び画面＃２５の遷移順序（setting-Paper  Setup-Tray1-Paper  Size）と、が表示されている。
【００２９】
図６Ｄは、トレイ１（Tray1）の各設定を行うためのトレイ１設定（Setting-Paper  Setup-Tray1）画面５４である。このトレイ１設定画面５４では、ジョブマクロ（Job  Macro）タブ、プレビュー（Preview）タブ、及びセッティング（Setting）タブと、用紙サイズ（Paper  Size）ボタン、特殊用紙（Custom）ボタン、媒体タイプ（Media  Type）ボタン、媒体重さ（Media  Weight）ボタン、倍率（Zoom）ボタン、及び原図方向（Original  Direction）ボタンと、が表示されている。
【００３０】
図６Ｅは、図６Ｃの検索結果画面５３において、ユーザによって第３階層（Level  3）が選択されると、その第３階層（Level  3）を軸に検索結果を並び替えた並び替え後の検索結果画面５５である。この場合、第３階層（Level  3）の画面＃２４の遷移順序（setting-Paper  Setup-Tray1）が最上段に位置し、その下段方向に、第４階層（Level  4）の画面＃２５、第２階層（Level  2）の画面＃２、及び、第２階層（Level  2）の画面＃３が順に配置され、ユーザが選択し易くなっている。又、例えば、ユーザによって第４階層（Level  ４）が選択されると、並び替え後の検索結果画面５５では、最上段に第４階層（Level  ４）の画面＃２５が位置し、その下段方向に、第２階層（Level  2）の画面＃２、第２階層（Level  2）の画面＃３、及び第３階層（Level  ３）の画面＃２４が順に配置される。
【００３１】
図７は、操作タッチパネル１０で機能設定画面を検索する画面検索処理を示すフローチャートである。
【００３２】
本実施例１の画面検索処理では、以下のステップＳ１〜Ｓ６が実行される。
画面検索処理が開始され、ステップＳ１において、ユーザが図３の操作タッチパネル１０中のサーチボタン２３を押下する。すると、図１中のタッチパネル制御部１２は、タッチパネル画面作成部１３に対し、図６Ａに示すホーム画面５１に代えて、図６Ｂに示す検索キーワード入力画面５２の作成を依頼し、ステップＳ２へ進む。
【００３３】
ステップＳ２において、タッチパネル画面作成部１３は、図６Ｂの検索キーワード入力画面５２を作成する。タッチパネル制御部１２は、作成された検索キーワード入力画面５２を、図３中のタッチパネル２０に表示し、ステップＳ３へ進む。
【００３４】
ステップＳ３において、ユーザは、図６Ｂの検索キーワード入力画面５２中の検索キーワード入力欄５２ａに、キーワード「tray」を入力すると、ステップＳ４へ進む。
【００３５】
ステップＳ４において、図１中の検索入力部１１は、入力されたキーワード「tray」を、タッチパネル制御部１２へ渡す。タッチパネル制御部１２は、受け取ったキーワード「tray」を、検索処理部１４へ渡す。検索処理部１４は、メモリ１５内の画面パス管理テーブル１５ａを参照し、受け取ったキーワード「tray」を、図５の木構造中の少なくとも１つの階層に含む画面ナンバーを抽出する。即ち、検索処理部１４は、画面パス管理テーブル１５ａを参照し、受け取ったキーワード「tray」を含む図５の木構造中の内部ノード４２−１〜４２−３及び葉ノード４３を、その木構造の深さ方向Ｄに走査して、そのキーワード「tray」を含む画像データの画面ナンバー＃２，＃３，＃２４，＃２５を抽出する。検索処理部１４は、抽出した画面ナンバー＃２，＃３，＃２４，＃２５と図４の画面パス管理テーブル１５ａのデータを、タッチパネル制御部１２へ渡す。
【００３６】
タッチパネル制御部１２は、受け取った画面ナンバー＃２，＃３，＃２４，＃２５と画面パス管理テーブル１５ａのデータを、タッチパネル画面作成部１３へ渡す。タッチパネル画面作成部１３は、受け取った画面ナンバー＃２，＃３，＃２４，＃２５と画面パス管理テーブル１５ａのデータを基に、図６Ｃの検索結果画面５３を作成する。タッチパネル制御部１２は、検索結果画面５３をタッチパネル２０に表示し、ステップＳ５へ進む。
【００３７】
ステップＳ５において、ユーザが、検索結果画面５３で、画面＃２４の「Setting-Paper  Setup-Tray1」を選択すると、ステップＳ６へ進む。
【００３８】
ステップＳ６において、タッチパネル制御部１２は、「Setting-Paper  Setup-Tray1」が選択されたことをタッチパネル画面作成部１３へ通知する。タッチパネル画面作成部１３は、図６Ｄのトレイ１設定画面５４を作成する。タッチパネル制御部１２は、作成されたトレイ１設定画面５４をタッチパネル２０に表示し、画面検索処理を終了する。
【００３９】
図８は、画面検索結果表示の変更処理を示すフローチャートである。
この図８のフローチャートでは、操作タッチパネル１０で画面＃２４を検索した後にその結果表示を変更する処理のステップＳ１１，Ｓ１２が示されている。
【００４０】
画面検索結果表示の変更処理が開始されると、ステップＳ１１において、ユーザが、図６Ｃの検索結果画面５３で、第３階層である「Level  3」を選択すると、ステップＳ１２へ進む。
【００４１】
ステップＳ１２において、タッチパネル制御部１２は、「Level  3」が選択されたことをタッチパネル画面作成部１３へ通知する。タッチパネル画面作成部１３は、保持している画面ナンバー＃２，＃３，＃２４，＃２５と画面パス管理テーブル１５ａのデータを基に、図５に示す木構造の第３階層を軸に検索結果を並び替え、この並び替え後、図６Ｅの検索結果画面５５を作成する。タッチパネル制御部１２は、並び替え後の検索結果画面５５をタッチパネル２０に表示し、処理を終了する。
【００４２】
（実施例１の変形例）
図７のステップＳ４において、検索処理部１４が、ユーザにより入力されたキーワード「tray」を含む画像データの画面ナンバーを抽出できない場合、例えば、次のような処理を行っても良い。
【００４３】
タッチパネル制御部１２は、タッチパネル２０に、「キーワードに一致する情報は見つかりませんでした。」と表示させ、画面検索処理を終了する。あるいは、ユーザに対して再度、適正な検索キーワードの入力を促す画面を表示し、ステップＳ３に戻る。ユーザによって適正なキーワードが入力されない場合には、画面検索処理を終了する。
【００４４】
（実施例１の効果）
本実施例１によれば、ユーザが操作タッチパネル１０の各印刷設定画面を表示させたい場合に、ユーザがその印刷設定画面のキーワードを入力すると、画面が表示されるまでの遷移順序を表す画面パスに、その入力されたキーワードを含む画面へのショートカットをタッチパネル２０に表示させ、ユーザがそのショートカットを選択すると、ユーザが表示させたい画面に即座に遷移することができる。そのため、情報処理装置１に定められた手順に従って画面遷移せずとも、画面を表示することができ、所望の印刷設定画面に辿り着くまでの操作が簡単になって、利便性が向上する。
【実施例２】
【００４５】
（実施例２の構成）
本実施例２の情報処理装置１では、図１の操作タッチパネル１０中のタッチパネル画面作成部１３及び検索処理部１４の機能が、実施例１のものと異なっている。
【００４６】
本実施例２のタッチパネル画面作成部１３では、操作タッチパネル１０に表示するための機能設定画面を作成する機能のみを有している。更に、本実施例２の検索部としての検索処理部１４は、ユーザによって検索入力部１１から入力された階層情報（例えば、図５の木構造における第３階層であるLevel  3）及びキーワード（例えば、トレイ「Tray」）を基に、管理テーブルとしての画面パス管理テーブル１５ａを参照し、入力された階層に属する内部ノード（例えば、第３階層であるLevel  3のノード４２−３，・・・）を水平方向に走査して、入力されたキーワード（例えば、「Tray」）を含む画像データの画面（例えば、画面＃２４）を検索する機能を有している。その他の構成は、実施例１と同様である。
【００４７】
（実施例２の動作）
図９Ａ〜図９Ｃは、図３中のタッチパネル２０に表示される実施例２の機能設定画面の例を示す外観図である。
【００４８】
図９Ａの画面は、実施例１の図６Ａの画面と同一のホーム画面５１である。
図９Ｂの画面は、実施例１の図６Ｂの画面５２と類似する検索入力画面５２Ａである。検索入力画面５２Ａは、実施例１と同様に、図３中のサーチボタン２３を押下することにより表示される。この検索入力画面５２Ａには、実施例１と同様の検索キーワード入力欄５２ａ及びソフトキーボード５２ｂと、新たに追加された階層情報入力欄５２ｃと、が表示されている。
【００４９】
図９Ｃの画面は、実施例１の図６Ｅの画面５５に対応する検索結果画面５５Ａである。検索結果画面５５Ａでは、第３階層（Level  3）の画面＃２４の遷移順序（setting-Paper  Setup-Tray1）のみが表示されている。
【００５０】
図１０は、実施例２の操作タッチパネル１０で機能設定画面を検索する画面検索処理を示すフローチャートであり、実施例１の図７及び図８のフローチャートに対応している。
【００５１】
本実施例２の画面検索処理では、以下のステップＳ１，Ｓ２Ａ，Ｓ３Ａ，Ａ１２Ａが実行される。
【００５２】
画面検索処理が開始され、実施例１と同様のステップＳ１において、ユーザが図３の操作タッチパネル１０中のサーチボタン２３を押下する。すると、図１中のタッチパネル制御部１２は、タッチパネル画面作成部１３に対し、図９Ａに示すホーム画面５１に代えて、図９Ｂに示す検索入力画面５２Ａの作成を依頼し、ステップＳ２Ａへ進む。
【００５３】
ステップＳ２Ａにおいて、タッチパネル画面作成部１３は、図９Ｂの検索入力画面５２Ａを作成する。タッチパネル制御部１２は、作成された検索入力画面５２Ａを、図３中のタッチパネル２０に表示し、ステップＳ３Ａへ進む。
【００５４】
ステップＳ３Ａにおいて、ユーザは、図９Ｂの検索入力画面５２Ａ中の階層情報入力欄５２ｃに、図５中の第３階層を示す「Level  3」を入力し、更に、「検索キーワード入力欄５２ａに、キーワード「tray」を入力すると、ステップＳ１２Ａへ進む。
【００５５】
ステップＳ１２Ａにおいて、図１中の検索入力部１１は、入力された階層情報「Level  3」及びキーワード「tray」を、タッチパネル制御部１２へ渡す。タッチパネル制御部１２は、受け取った階層情報「Level  3」及びキーワード「tray」を、検索処理部１４へ渡す。検索処理部１４は、メモリ１５内の画面パス管理テーブル１５ａを参照し、受け取った階層情報「Level  3」に対応する図５の木構造中の第３階層に属する全ての内部ノード４２−３，・・・を、水平方向に走査し、その内部ノード４２−３，・・・に連なる第２階層のノード４２−２，・・・及び第１階層のノード４２−１，・・・を含めて、受け取ったキーワード「tray」を含む画像データの画面ナンバー＃２４を抽出する。検索処理部１４は、抽出した画面ナンバー＃２４と図４の画面パス管理テーブル１５ａのデータを、タッチパネル制御部１２へ渡す。
【００５６】
タッチパネル制御部１２は、受け取った画面ナンバー＃２４と画面パス管理テーブル１５ａのデータを、タッチパネル画面作成部１３へ渡す。タッチパネル画面作成部１３は、受け取った画面ナンバー＃２４と画面パス管理テーブル１５ａのデータを基に、図９Ｃの検索結果画面５５Ａを作成する。タッチパネル制御部１２は、検索結果画面５５Ａをタッチパネル２０に表示し、処理を終了する。
【００５７】
（実施例２の変形例）
本実施例２では、次の（ａ）、（ｂ）のように変形することも可能である。
【００５８】
（ａ）  図１０のステップＳ１２Ａにおいて、検索処理部１４が、ユーザにより入力された階層情報「Level  3」及びキーワード「tray」を含む画像データの画面ナンバーを抽出できない場合、例えば、次のような処理を行っても良い。
【００５９】
タッチパネル制御部１２は、タッチパネル２０に、「階層情報及びキーワードに一致する情報は見つかりませんでした。」と表示させ、画面検索処理を終了する。あるいは、ユーザに対して再度、適正な階層情報及びキーワードの入力を促す画面を表示し、ステップＳ３Ａに戻る。ユーザによって適正な階層情報及びキーワードが入力されない場合には、画面検索処理を終了する。
【００６０】
（ｂ）  検索処理部１４は、受け取った階層情報「Level  3」に対応する第３階層に属する全ての内部ノード４２−３，・・・を、水平方向に走査し、その内部ノード４２−３，・・・に連なる第２階層のノード４２−２，・・・及び第１階層のノード４２−１，・・・を含めて、受け取ったキーワード「tray」を含む画像データの画面ナンバー＃２４を抽出している。このような画面検索処理に代えて、検索処理部１４は、受け取った階層情報「Level  3」に対応する第３階層に属する全ての内部ノード４２−３，・・・を、水平方向に走査し、その内部ノード４２−３，・・・自体に、受け取ったキーワード（例えば、「copies」）を含む画像データが有るか否かを判断し、該当する画面ナンバーを抽出するようにしても良い。第３階層に属する内部ノード４２−３，・・・自体に、受け取ったキーワード「copies」を含む画像データが無い場合には、前記（ａ）と同様の処理を行っても良い。
【００６１】
（実施例２の効果）
本実施例２によれば、実施例１に比べて、所望の印刷設定画面に辿り着くまでの操作がより簡単になって、利便性がより向上する。
【００６２】
（実施例１、２の他の変形例）
本発明は、上記実施例１、２に限定されず、その他の種々の利用形態や変形が可能である。この利用形態や変形例としては、例えば、次の（１）〜（３）のようなものがある。
【００６３】
（１）  実施例１、２では、操作パネル部としてタッチパネル２０を適用して説明したが、タッチ機能を有しないカラーディスプレイやモノクロディスプレイ等の操作パネルにも適用可能である。
【００６４】
（２）  実施例１、２では、情報処理装置１としてＭＦＰを適用して説明したが、コピー機、プリンタ、ＦＡＸ等の装置にも適用可能である。
【００６５】
（３）  階層構造をなす複数のデータは、画像データ以外の他のデータであっても良い。
【符号の説明】
【００６６】
１      情報処理装置
１０      操作タッチパネル
１１      検索入力部
１２      タッチパネル制御部
１３      タッチパネル画面作成部
１４      検索処理部
１５      メモリ
１５ａ      画面パス管理テーブル
２０      タッチパネル
【図１】
2015064762.tif 000003
【図２】
2015064762.tif 000004
【図３】
2015064762.tif 000005
【図４】
2015064762.tif 000006
【図５】
2015064762.tif 000007
【図６Ａ】
2015064762.tif 000008
【図６Ｂ】
2015064762.tif 000009
【図６Ｃ】
2015064762.tif 000010
【図６Ｄ】
2015064762.tif 000011
【図６Ｅ】
2015064762.tif 000012
【図７】
2015064762.tif 000013
【図８】
2015064762.tif 000014
【図９Ａ】
2015064762.tif 000015
【図９Ｂ】
2015064762.tif 000016
【図９Ｃ】
2015064762.tif 000017
【図１０】
2015064762.tif 000018